(57)【要約】【課題】複数の監視カメラからのモニタ映像のうちの所望のものを簡単に見ることができるカメラ映像選択システムを提供する。【解決手段】複数の監視カメラ１１からの映像データを入力する通信部と、入力された複数の監視カメラ１１からの映像データを表示する表示装置２０とを含み、表示装置２０は映像を表示するカメラ映像表示部２１と、カメラ映像表示部に表示するための映像を選択するためのサムネイル映像をスクロール可能に表示する、サムネイル映像表示部２２とを含み、サムネイル映像の各々が、複数の監視カメラ１１の各々からの映像データに対応する。【選択図】図１
2007312188.tif 000002
【特許請求の範囲】
【請求項１】
複数のカメラからの映像データを入力する入力手段と、
入力された前記複数のカメラからの映像データを表示する表示手段とを含み、
前記表示手段は映像を表示する映像表示部と、前記映像表示部に表示するための映像を選択するためのサムネイル映像を、スクロール可能に表示する、サムネイル映像表示部とを含み、
前記サムネイル映像の各々が、前記複数のカメラの各々からの映像データに対応する、カメラ映像選択システム。
【請求項２】
前記サムネイル映像表示部には複数のサムネイル映像が表示され、前記表示された複数のサムネイル映像の中から前記映像表示部に表示するサムネイル映像を選択するための、サムネイル映像選択手段を含む、請求項１に記載のカメラ映像選択システム。
【請求項３】
前記カメラはＵＤＰを用いて前記入力手段にアクセスする、請求項１または２に記載のカメラ映像選択システム。
【発明の詳細な説明】
【技術分野】
【０００１】
この発明は、カメラ映像選択システムに関し、特に、多数のカメラからの映像を表示可能なカメラ映像選択システムに関する。
【背景技術】
【０００２】
従来の、複数の監視カメラからのモニタ映像を表示可能なカメラ監視システムが、たとえば、特開２００２−３５４４７２号公報（特許文献１)に開示されている。特許文献１によれば、システムは、複数のカメラと、複数のモニタと、ビデオスイッチャと、映像選択制御装置とを備える。映像選択制御装置は、複数のカメラを表す複数のカメラサムネイル映像と複数のモニタを表す複数のモニタサムネイル映像とを表示する表示処理手段と、表示された画面において、複数のカメラサムネイル映像のいずれかを複数のモニタサムネイルのいずれかと対応付ける操作を行うための入力部によって対応付ける操作がなされた場合に、該当カメラサムネイル映像により示されるカメラにより得られた映像が該当モニタサムネイルにより示されるモニタに表示されるようにビデオスイッチャが制御される。
【特許文献１】特開２００２−３５４４７２号公報（要約）
【発明の開示】
【発明が解決しようとする課題】
【０００３】
従来の、複数の監視カメラからのモニタ映像を表示可能なカメラ監視システムは上記のように構成されていた。複数の監視カメラからのモニタ映像を表示するためには、監視カメラとモニタとの相互の対応付けをする必要があり、監視カメラの台数が増えると、対応が複雑で困難になる、という問題があった。
【０００４】
この発明は上記のような問題点を解消するためになされたもので、複数の監視カメラからのモニタ映像のうちの所望のものを簡単に見ることができるカメラ映像選択システムを提供することを目的とする。
【課題を解決するための手段】
【０００５】
この発明に係る、カメラ映像選択システムは、複数のカメラからの映像データを入力する入力手段と、入力された複数のカメラからの映像データを表示する表示手段とを含み、
表示手段は映像を表示する映像表示部と、映像表示部に表示するための映像を選択するためのサムネイル映像を、スクロール可能に表示する、サムネイル映像表示部とを含み、サムネイル映像の各々が、複数のカメラの各々からの映像データに対応する。
【０００６】
表示手段には、複数のカメラからのそれぞれの映像データに対応する複数のサムネイル映像がスクロール可能に表示され、所望のサムネイル映像を選択するだけで、所望のカメラからの映像を表示できる。
【０００７】
その結果、複数のカメラからのモニタ映像のうちの所望のものを簡単に見ることができるカメラ映像選択システムを提供できる。
【０００８】
好ましくは、サムネイル映像表示部には複数のサムネイル映像が表示され、表示された複数のサムネイル映像の中から映像表示部に表示するサムネイル映像を選択するための、サムネイル映像選択手段を含む。
【０００９】
さらに好ましくは、カメラはＵＤＰを用いて入力手段にアクセスする。
【発明を実施するための最良の形態】
【００１０】
以下に図面を参照して、この発明の一実施の形態について説明する。図１は、この発明に係るカメラ映像選択システムの基本構成を説明するための図である。ここでは、カメラ映像選択システムが、複数の監視カメラの映像の中から所望のものを選択する場合について説明する。図１を参照して、この発明に係るカメラ映像選択システム１０は、複数の監視カメラ１１ａ〜１１ｎと、複数の監視カメラ１１ａ〜１１ｎからの映像を選択的に表示するための表示装置２０とを含む。なお、複数の監視カメラ１１ａ〜１１ｎと表示装置２０とは、インターネットで接続されている。
【００１１】
図１に示した例では、表示装置２０には４つの通常の映像２１ａ〜２１ｄと、その映像を選択するためのサムネイル映像２２ａ〜２２ｈとが表示されている。サムネイル映像２２ａ〜２２ｈはスクロールが可能な画面２２に表示されている。このように、サムネイル映像２２ａ〜２２ｈをスクロール可能に表示したため、任意の数の監視カメラからの映像を１台の表示装置で表示可能である。なお、表示装置は、表示手段として機能する。
【００１２】
複数の監視カメラ１１ａ〜１１ｎが撮影したそれぞれの映像は、表示装置２０に表示されているサムネイル映像２２ａ〜２２ｈのいずれかに対応している。したがって、ユーザは、所望の監視カメラ１１からの映像を見たいときは、単に、その監視カメラ１１に対応しているサムネイル映像２２ａ〜２２ｈを選択すればよい。
【００１３】
ここで、通常の映像として、２１ａ〜２１ｄの４つの映像を示しているが、これは１つの映像であってもよいし、３×３の９個の映像等であってもよい。
【００１４】
次に、カメラ映像選択システム１０の具体的な構成について説明する。図２は、カメラ映像選択システム１０の全体構成を示すブロック図である。図２を参照して、カメラ映像選択システム１０は、複数の監視カメラ１１ａ〜１１ｎと、複数の監視カメラ１１ａ〜１１ｎに接続された入力手段として機能する通信部１３と、通信部１３に接続されたサムネイル表示部１５およびカメラ映像表示部１６を含む表示装置と、表示装置２０上でサムネイル映像を選択するための選択手段として機能する操作部２５と、通信部１３、サムネイル表示部１５、カメラ映像表示部１６および操作部２５を制御する制御部２３とを含む。制御部２３は、パーソナルコンピュータであり、たとえば、ＷＩＮＤＯＷＳ（登録商標）ＸＰで作動している。
【００１５】
サムネイル表示部１５は、それぞれの監視カメラ１１ａ〜１１ｎからのサムネイル映像を表示し、カメラ映像表示部１６は、それぞれの監視カメラ１１ａ〜１１ｎからのカメラ映像を表示する。
【００１６】
図１および図２を参照して、ユーザは、表示装置２０上において、操作部２５を操作して、サムネイル映像をスクロールして所望の監視カメラの映像を選択する。全ての監視カメラ１１ａ〜１１ｎの映像はサムネイル映像に対応しているため、サムネイル映像を選択するだけで所望の監視カメラからの映像を表示できる。このサムネイル映像は、映像をそのままサムネイルで表示してもよいし、サムネイル映像として、監視カメラの番号を表示したり、監視カメラの取り付け位置を表示してもよい。
【００１７】
次に、制御部２３の動作について説明する。図３は制御部２３が行う動作のうち、サムネイル表示部１５へのサムネイル映像の表示を行う場合のフローチャートであり、図４は制御部２３が行う動作のうち、カメラ映像表示部１６へのカメラ映像の表示を行う場合のフローチャートである。
【００１８】
図３を参照して、制御部２３は、図１のスクロール可能な画面２２内にサムネイル映像あるか否かを判断する（ステップＳ１１、以下ステップを省略する）。サムネイル映像２２がスクロールされる範囲内にあれば（Ｓ１１でＹＥＳ）、監視カメラ１１の映像がカメラ映像表示部１６に表示されているか否かを判断する（Ｓ１２）。監視カメラ１１の映像がカメラ映像表示部１６に表示されていれば（Ｓ１２でＹＥＳ）、そのままＳ１１へ戻る。監視カメラ１１の映像がカメラ映像表示部１６に表示されていなければ（Ｓ１２でＮＯ）、監視カメラ１１にサムネイル映像を要求する。
【００１９】
次に、図４を参照して、映像表示ルーチーンについて説明する。制御部２３は、監視カメラ１１の各々について、現在選択されているか否かを判断する（Ｓ２１）。選択されていれば（Ｓ２１でＹＥＳ）、当該監視カメラ１１に対して映像を要求する（Ｓ２２）。選択されていなければ（Ｓ２１でＮＯ）、何もせずにＳ２１へ戻る。
【００２０】
なお、このような判断は、たとえば、個々の監視カメラ１１ごとに、サムネイル映像やカメラ映像が表示されているか否かを判断するフラグを設定しておき、それをソフトウエアでチェックすることによって判断してもよい。
【００２１】
すなわち、サムネイル映像もカメラ映像も、ともに通信部１３で受信するが、制御部２３は、データ内容によってサムネイル表示部１５またはカメラ映像表示部１６のいずれかに振り分ける。
【００２２】
以上のように、サムネイル映像２２がスクロール画面から外れたときは、サムネイル映像の要求を停止するようにしたため、制御部２３に余分な負荷がかからない。
【００２３】
また、この実施の形態においては、監視カメラ１１と表示装置２０との間の通信をＵＤＰ（User Datagram Protocol)を用いて行うのが好ましい。これは、ＵＤＰは、ＴＣＰ（Transmission Control Program)のように、パケットを受信してもその受信確認を返さないのでプロトコルの処理は軽く、高速処理が可能であるためである。また、常時接続を維持する必要がない点でも有利である。
【００２４】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２５】
【図１】この発明に係るカメラ映像選択システムの基本構成を説明するための図である。
【図２】カメラ映像選択システムの全体構成を示すブロック図である。
【図３】制御部が行う動作を示すフローチャートである。
【図４】制御部が行う動作を示すフローチャートである。
【符号の説明】
【００２６】
１０  カメラ映像選択システム、１１  監視カメラ、１３  通信部、１５  サムネイル表示部、１６  カメラ映像表示部、２０  表示装置、２１  映像、２２  サムネイル映像、２３  制御部、２５  操作部。
【図１】
2007312188.tif 000003
【図２】
2007312188.tif 000004
【図３】
2007312188.tif 000005
【図４】
2007312188.tif 000006